(57)【要約】      （修正有）【課題】使用者が自分の手で容易につるの全体の長さを調整して、自分に完全に適合させることができるようにした眼鏡のつるを提供する。【解決手段】つる２は伸縮調整手段３をもって全体の長さを調整可能となしている。該伸縮調整手段３は、つる２の長さ方向の途中部を切断し、一方の切断端面２Ａにボルト４を突設し、もう一方の切断端面２Ｂに前記ボルト４の螺合孔５を穿設し、前記ボルト４の前記ボルトの螺合孔５への螺進退を通してつる２の全体の長さを調整するようになした伸縮調整手段である。【選択図】図２
0003157979.tif 000002
【実用新案登録請求の範囲】
【請求項１】
伸縮調整手段をもって全体の長さを調整可能となしたことを特徴とする眼鏡のつる。
【請求項２】
伸縮調整手段が、つるの長さ方向の途中部を切断し、一方の切断端面にボルトを突設し、もう一方の切断端面に前記ボルトの螺合孔を穿設し、前記ボルトの前記ボルトの螺合孔への螺進退を通してつるの全体の長さを調整するようになした伸縮調整手段である請求項１記載の眼鏡のつる。
【請求項３】
伸縮調整手段が、つるの長さ方向の途中部を切断し、一方の切断端面に棒状体を突設し、もう一方の切断端面に前記棒状体の受容孔を穿設し、前記棒状体の前記棒状体の受容孔への差し込み量を通してつるの全体の長さを調整するようになした伸縮調整手段である請求項１記載の眼鏡のつる。
【請求項４】
伸縮調整手段が、つるの長さ方向の途中部を切断し、一方の切断端面に棒状体を突設し、もう一方の切断端面に、該切断端面に被着する、円筒状をなし、長さ方向の中央部に螺子部を形成すると共に該螺子部から先端側をテーパー状となし、更に該テーパー状の部分を先端から長さ方向に沿って入れた円周方向等配の３本のスリットをもって三分割すると共に該テーパー状の部分の先端にフランジ部を設けた固定金具と、前記固定金具に外嵌する、円筒状をなし、長さ方向の一端側部分をテーパー状になすと共に、該テーパー状の部分と反対側の部分に前記固定金具における螺子部に螺合する螺子部を形成した移動金具とからなるクランプ部材を取着し、前記クランプ部材により前記棒状体の長さ方向の適宜の部分をクランプすることを通してつるの全体の長さを調整するようになした伸縮調整手段である請求項１記載の眼鏡のつる。
【請求項５】
伸縮調整手段が、つるの長さ方向の途中部を切断し、一方の切断端面に棒状体を突設し、もう一方の切断端面に、該切断端面に被着する、円筒状をなし、先端側をテーパー状となすと共に長さ方向の中央部からテーパー状となった先端近傍部にかけて螺子部を形成し、更に該テーパー状となった先端側部分を先端から長さ方向に沿って入れた円周方向等配の３本のスリットをもって三分割した固定金具と、前記固定金具に外嵌する、円筒状をなし、長さ方向の一端側部分の内面をテーパー状となすと共に、該内面テーパー状の部分と反対側の部分の内面に前記固定金具における螺子部に螺合する螺子部を形成した移動金具とからなるクランプ部材を取着し、前記クランプ部材により前記棒状体の長さ方向の適宜の部分をクランプすることを通してつるの全体の長さを調整するようになした伸縮調整手段である請求項１記載の眼鏡のつる。
【請求項６】
つるの切断部分を弾性カバーで被覆してなる請求項１、２、３、４又は５記載の眼鏡のつる。
【考案の詳細な説明】
【技術分野】
【０００１】  本考案は眼鏡のつるに関し、更に詳細には全体の長さを調整可能となした眼鏡のつるに係わる。
【背景技術】
【０００２】  サングラスを含めて眼鏡のつるは、その長さが使用者に完全に適合することが望ましい。鼻から耳にかけての長さ（図１におけるＬ）は各個人でまちまちである。そして、眼鏡のつるの長さが使用者の鼻から耳にかけての長さに対して長過ぎると眼鏡がずり落ち易く、また反対に短か過ぎるとつるの折曲した耳に掛ける部分が強く耳に当たって痛くなる。そしてまた、いずれの場合にも使用者の眼球と眼鏡のレンズとの距離や角度が不適正になる。【０００３】  ところで、一般的に眼鏡のつるは、その長さが規格化された一定の長さになっており、使用者に完全に適合することはごく稀である。そこで、使用者は購入した眼鏡のつるを自分に適合させるための方法を考えることになる。そして、つるにおける耳に掛ける部分を自分に適合させるには、つるを適宜の位置で且つ所要の角度に折り曲げて行うが、これによる調整幅はわずかである。また、これは技術的にも難しいため、やむを得ず購入した店舗等に持参して調整を依頼することになる。
【考案の概要】
【考案が解決しようとする課題】
【０００４】  本考案は上記の点に鑑みなされたものであって、使用者が眼鏡の購入後、自分の手で容易につるの全体の長さを調整して自分に完全に適合させることができるようになし、もって上記従来の問題点を悉く解消することができるようになした眼鏡のつるを提供しようとするものである。
【課題を解決するための手段】
【０００５】  而して、本考案の要旨とするところは、伸縮調整手段をもって全体の長さを調整可能となしたことを特徴とする眼鏡のつるにある。【０００６】  また、上記構成において、伸縮調整手段を、つるの長さ方向の途中部を切断し、一方の切断端面にボルトを突設し、もう一方の切断端面に前記ボルトの螺合孔を穿設し、前記ボルトの前記ボルトの螺合孔への螺進退を通してつるの全体の長さを調整するようになした伸縮調整手段としてもよい。【０００７】  また、上記構成において、伸縮調整手段を、つるの長さ方向の途中部を切断し、一方の切断端面に棒状体を突設し、もう一方の切断端面に前記棒状体の受容孔を穿設し、前記棒状体の前記棒状体の受容孔への差し込み量を通してつるの全体の長さを調整するようになした伸縮調整手段としてもよい。【０００８】  また、上記構成において、伸縮調整手段を、つるの長さ方向の途中部を切断し、一方の切断端面に棒状体を突設し、もう一方の切断端面に、該切断端面に被着する、円筒状をなし、長さ方向の中央部に螺子部を形成すると共に該螺子部から先端側をテーパー状となし、更に該テーパー状の部分を先端から長さ方向に沿って入れた円周方向等配の３本のスリットをもって三分割すると共に該テーパー状の部分の先端にフランジ部を設けた固定金具と、前記固定金具に外嵌する、円筒状をなし、長さ方向の一端側部分をテーパー状になすと共に、該テーパー状の部分と反対側の部分に前記固定金具における螺子部に螺合する螺子部を形成した移動金具とからなるクランプ部材を取着し、前記クランプ部材により前記棒状体の長さ方向の適宜の部分をクランプすることを通してつるの全体の長さを調整するようになした伸縮調整手段としてもよい。【０００９】  また、上記構成において、伸縮調整手段を、つるの長さ方向の途中部を切断し、一方の切断端面に棒状体を突設し、もう一方の切断端面に、該切断端面に被着する、円筒状をなし、先端側をテーパー状となすと共に長さ方向の中央部からテーパー状となった先端近傍部にかけて螺子部を形成し、更に該テーパー状となった先端側部分を先端から長さ方向に沿って入れた円周方向等配の３本のスリットをもって三分割した固定金具と、前記固定金具に外嵌する、円筒状をなし、長さ方向の一端側部分の内面をテーパー状となすと共に、該内面テーパー状の部分と反対側の部分の内面に前記固定金具における螺子部に螺合する螺子部を形成した移動金具とからなるクランプ部材を取着し、前記クランプ部材により前記棒状体の長さ方向の適宜の部分をクランプすることを通してつるの全体の長さを調整するようになした伸縮調整手段としてもよい。【００１０】  また、上記構成において、つるの切断部分を弾性カバーで被覆するようにしてもよい。
【考案の効果】
【００１１】  本考案は上記の如き構成であり、伸縮調整手段をもって全体の長さを調整可能となしたものである。したがって、使用者が眼鏡の購入後、自分の手で容易につるの全体の長さを調整して自分に完全に適合させることができるものである。よって、上記従来の問題点を悉く解消することができるものである。【００１２】  また、つるの切断部分を弾性カバーで被覆した場合には、つるの切断部分及び伸縮調整手段を覆い隠してつるの美感の低下を防ぐことができると共に、切断部分の補強を図ることができるものである。加えて、弾性カバーに模様や種々の彩色を施せば、アクセサリー的な効果も加味することができ、美感の向上を図ることもできるものである。
【図面の簡単な説明】
【００１３】
【図１】本考案に係る眼鏡のつるを用いた眼鏡の使用状態における側面図である。
【図２】本考案の第１実施形態に係る眼鏡のつるにおける要部、図１中Ｐ部分の拡大断面図である。
【図３】図２中Ａ−Ａ線断面図である。
【図４】本考案の第２実施形態に係る眼鏡のつるにおける要部の拡大側面図である。
【図５】図４中Ｂ−Ｂ線断面図である。
【図６】本考案の第３実施形態に係る眼鏡のつるにおける要部の拡大断面図である。
【図７】本考案の第３実施形態に係る眼鏡のつるにおけるクランプ部材の分解斜視図である。
【図８】本考案の第４実施形態に係る眼鏡のつるにおける要部の分解斜視図である。
【考案を実施するための形態】
【００１４】    以下、本考案を実施するための形態について、図面を参照して説明する。
【００１５】  図１乃至図３は本考案の第１実施形態を示し、図中、１は眼鏡である。また、２は該眼鏡１のつるである。また、該つる２は、本実施形態ではプラスチック素材とし且つ軸断面を楕円形としている。
【００１６】  また、該つる２は、伸縮調整手段３をもって全体の長さを調整可能となしている。そして、該伸縮調整手段３は、つる２の長さ方向の途中部を切断し、一方の切断端面２Ａにボルト４を突設し、もう一方の切断端面２Ｂに前記ボルト４の螺合孔５を穿設し、前記ボルト４の前記ボルトの螺合孔５への螺進退を通してつる２の全体の長さを調整するようになした伸縮調整手段である。
【００１７】  また、本実施形態においては、つる２の切断部分をゴムやプラスチックからなる筒状の弾性カバー６で被覆している。
【００１８】  次に、図４及び図５に示した本考案の第２実施形態について説明する。
【００１９】  本実施形態と前記第１実施形態とは、伸縮調整手段の点において相違するものである。而して、本実施形態における伸縮調整手段７は、つる２の長さ方向の途中部を切断し、一方の切断端面２Ｂに棒状体８を突設し、もう一方の切断端面２Ａに前記棒状体８の受容孔９を穿設し、前記棒状体８の前記棒状体の受容孔９への差し込み量を通してつる２の全体の長さを調整するようになした伸縮調整手段である。また、１０、１０はつる２の側面に螺装した止め螺子であり、棒状体８を受容孔９における適宜の差し込み位置にて固定するために用いるものである。
【００２０】  次に、図６及び図７に示した本考案の第３実施形態について説明する。
【００２１】  本実施形態と前記第１実施形態とは、伸縮調整手段の点において相違するものである。而して、本実施形態における伸縮調整手段１１は、つる２の長さ方向の途中部を切断し、一方の切断端面２Ａに棒状体１２を突設し、もう一方の切断端面２Ｂに、該切断端面２Ｂに被着する、円筒状をなし、長さ方向の中央部に螺子部１３ａを形成すると共に該螺子部１３ａから先端側をテーパー状１３ｂとなし、更に該テーパー状の部分１３ｂを先端から長さ方向に沿って入れた円周方向等配の３本のスリットＳ１、Ｓ２、Ｓ３をもって三分割すると共に該テーパー状の部分１３ｂの先端にフランジ部１３ｃを設けた固定金具１３と、前記固定金具１３に外嵌する、円筒状をなし、長さ方向の一端側部分１４ａをテーパー状となすと共に、該テーパー状の部分１４ａと反対側の部分に前記固定金具１３における螺子部１３ａに螺合する螺子部１４ｂを形成した移動金具１４とからなるクランプ部材１５を取着し、前記クランプ部材１５により前記棒状体１２の長さ方向の適宜の部分をクランプすることを通してつる２の全体の長さを調整するようになした伸縮調整手段である。
【００２２】  また、前記クランプ部材１５は、移動金具１４を回して固定金具１３が深く入り込むように螺進させると、そのテーパー状の部分１４ａの内面によって外周から押されてフランジ部１３ｃを介して固定金具１３におけるテーパー状の部分１３ｂが徐々に縮径する。そして、このテーパー状の部分１３ｂの縮径により一方の切断端面２Ａに突設した棒状体１２をクランプするものである。
【００２３】  次に、図８に示した本考案の第４実施例について説明する。
【００２４】  本実施形態と前記第１実施形態とは、伸縮調整手段の点において相違するものである。而して、本実施形態における伸縮調整手段１６は、つる２の長さ方向の途中部を切断し、一方の切断端面２Ａに棒状体１７を突設し、もう一方の切断端面２Ｂに、該切断端面２Ｂに被着する、円筒状をなし、先端側１８ａをテーパー状となすと共に長さ方向の中央部からテーパー状となった先端１８ａ近傍部にかけて螺子部１８ｂを形成し、更に該テーパー状となった先端側部分１８ａを先端から長さ方向に沿って入れた円周方向等配の３本のスリットＳ１、Ｓ２、Ｓ３（Ｓ２は図示せず。）をもって三分割した固定金具１８と、前記固定金具１８に外嵌する、円筒状をなし、長さ方向の一端側部分の内面１９ａをテーパー状となすと共に、該内面テーパー状の部分１９ａと反対側の部分の内面に前記固定金具１８における螺子部１８ｂに螺合する螺子部（図示せず。）を形成した移動金具１９とからなるクランプ部材２０を取着し、前記クランプ部材２０により前記棒状体１７の長さ方向の適宜の部分をクランプすることを通してつる２の全体の長さを調整するようになした伸縮調整手段である。尚、前記棒状体１７には、その外周面に長さ方向に沿った回り止め用突条１７ａを設けている。
【００２５】  また、前記クランプ部材２０は、移動金具１９を回して固定金具１８が深く入り込むように螺進させると、そのテーパー状の内面１９ａによって外周から押されて固定金具１８におけるテーパー状の先端側部分１８ａが徐々に縮径する。そして、この先端側のテーパー状の部分１８ａの縮径により一方の切断端面２Ａに突設した棒状体１７をクランプするものである。
【００２６】  以上の如く、伸縮調整手段３、７、１１、１６をもってつる２の全体の長さを調整可能となしたものである。したがって、使用者が眼鏡の購入後、自分の手で容易につるの全体の長さを調整して自分に完全に適合させることができるものである。よって、上記従来の問題点を悉く解消することができるものである。
【００２７】  また、つる２の切断部分を弾性カバー６で被覆した場合には、つる２の切断部分及び伸縮調整手段３、７、１１、１６を覆い隠してつる２の美感の低下を防ぐことができると共に、切断部分の補強を図ることができるものである。加えて、弾性カバー６に模様や種々の彩色を施せば、アクセサリー的な効果も加味することができ、美感の向上を図ることもできるものである。
【符号の説明】
【００２８】１  眼鏡
２  つる
２Ａ、２Ｂ  切断端面
３  伸縮調整手段
４  ボルト
５  ボルトの螺合孔
６  弾性カバー
７  伸縮調整手段
８  棒状体
９  受容孔
１０  止め螺子
１１  伸縮調整手段
１２  棒状体
１３  固定金具
１３ａ  螺子部
１３ｂ  テーパー状の部分
１３ｃ  フランジ部
Ｓ１、Ｓ２、Ｓ３  スリット
１４  移動金具
１４ａ  テーパー状の部分
１４ｂ  螺子部
１５  クランプ部材
１６  伸縮調整手段
１７  棒状体
１８  固定金具
１８ａ  螺子部
Ｓ１、Ｓ２、Ｓ３  スリット
１９  移動金具
２０  クランプ部材
【図１】
0003157979.tif 000003
【図２】
0003157979.tif 000004
【図３】
0003157979.tif 000005
【図４】
0003157979.tif 000006
【図５】
0003157979.tif 000007
【図６】
0003157979.tif 000008
【図７】
0003157979.tif 000009
【図８】
0003157979.tif 000010
【手続補正書】
【提出日】平成21年12月7日(2009.12.7)
【手続補正１】
【補正対象書類名】明細書
【補正対象項目名】０００５
【補正方法】変更
【補正の内容】
【０００５】  而して、本考案の要旨とするところは、以下の眼鏡のつるにある。
【手続補正２】
【補正対象書類名】明細書
【補正対象項目名】０００６
【補正方法】変更
【補正の内容】
【０００６】つるの長さ方向の途中部を切断し、一方の切断端面にボルトを突設し、もう一方の切断端面に前記ボルトの螺合孔を穿設し、前記ボルトの前記ボルトの螺合孔への螺進退を通してつるの全体の長さを調整するようになした伸縮調整手段を備えた眼鏡のつる。
【手続補正３】
【補正対象書類名】明細書
【補正対象項目名】０００７
【補正方法】変更
【補正の内容】
【０００７】つるの長さ方向の途中部を切断し、一方の切断端面に棒状体を突設し、もう一方の切断端面に前記棒状体の受容孔を穿設し、前記棒状体の前記棒状体の受容孔への差し込み量を通してつるの全体の長さを調整するようになした伸縮調整手段を備えた眼鏡のつる。
【手続補正４】
【補正対象書類名】明細書
【補正対象項目名】０００８
【補正方法】変更
【補正の内容】
【０００８】つるの長さ方向の途中部を切断し、一方の切断端面に棒状体を突設し、もう一方の切断端面に、該切断端面に被着する、円筒状をなし、長さ方向の中央部に螺子部を形成すると共に該螺子部から先端側をテーパー状となし、更に該テーパー状の部分を先端から長さ方向に沿って入れた円周方向等配の３本のスリットをもって三分割すると共に該テーパー状の部分の先端にフランジ部を設けた固定金具と、前記固定金具に外嵌する、円筒状をなし、長さ方向の一端側部分をテーパー状になすと共に、該テーパー状の部分と反対側の部分に前記固定金具における螺子部に螺合する螺子部を形成した移動金具とからなるクランプ部材を取着し、前記クランプ部材により前記棒状体の長さ方向の適宜の部分をクランプすることを通してつるの全体の長さを調整するようになした伸縮調整手段を備えた眼鏡のつる。
【手続補正５】
【補正対象書類名】明細書
【補正対象項目名】０００９
【補正方法】変更
【補正の内容】
【０００９】つるの長さ方向の途中部を切断し、一方の切断端面に棒状体を突設し、もう一方の切断端面に、該切断端面に被着する、円筒状をなし、先端側をテーパー状となすと共に長さ方向の中央部からテーパー状となった先端近傍部にかけて螺子部を形成し、更に該テーパー状となった先端側部分を先端から長さ方向に沿って入れた円周方向等配の３本のスリットをもって三分割した固定金具と、前記固定金具に外嵌する、円筒状をなし、長さ方向の一端側部分の内面をテーパー状となすと共に、該内面テーパー状の部分と反対側の部分の内面に前記固定金具における螺子部に螺合する螺子部を形成した移動金具とからなるクランプ部材を取着し、前記クランプ部材により前記棒状体の長さ方向の適宜の部分をクランプすることを通してつるの全体の長さを調整するようになした伸縮調整手段を備えた眼鏡のつる。
【手続補正６】
【補正対象書類名】明細書
【補正対象項目名】００１０
【補正方法】変更
【補正の内容】
【００１０】  また、上記眼鏡のつるにおいて、つるの切断部分を弾性カバーで被覆するようにしてもよい。
【手続補正７】
【補正対象書類名】明細書
【補正対象項目名】００１１
【補正方法】変更
【補正の内容】
【００１１】  本考案に係る眼鏡のつるは上記の如く伸縮調整手段をもって全体の長さを調整可能となしたものである。したがって、使用者が眼鏡の購入後、自分の手で容易につるの全体の長さを調整して自分に完全に適合させることができるものである。よって、上記従来の問題点を悉く解消することができるものである。
【手続補正８】
【補正対象書類名】明細書
【補正対象項目名】００２３
【補正方法】変更
【補正の内容】
【００２３】  次に、図８に示した本考案の第４実施形態について説明する。
【手続補正９】
【補正対象書類名】実用新案登録請求の範囲
【補正対象項目名】全文
【補正方法】変更
【補正の内容】
【実用新案登録請求の範囲】
【請求項１】
つるの長さ方向の途中部を切断し、一方の切断端面にボルトを突設し、もう一方の切断端面に前記ボルトの螺合孔を穿設し、前記ボルトの前記ボルトの螺合孔への螺進退を通してつるの全体の長さを調整するようになした伸縮調整手段を備えた眼鏡のつる。
【請求項２】
つるの長さ方向の途中部を切断し、一方の切断端面に棒状体を突設し、もう一方の切断端面に前記棒状体の受容孔を穿設し、前記棒状体の前記棒状体の受容孔への差し込み量を通してつるの全体の長さを調整するようになした伸縮調整手段を備えた眼鏡のつる。
【請求項３】
つるの長さ方向の途中部を切断し、一方の切断端面に棒状体を突設し、もう一方の切断端面に、該切断端面に被着する、円筒状をなし、長さ方向の中央部に螺子部を形成すると共に該螺子部から先端側をテーパー状となし、更に該テーパー状の部分を先端から長さ方向に沿って入れた円周方向等配の３本のスリットをもって三分割すると共に該テーパー状の部分の先端にフランジ部を設けた固定金具と、前記固定金具に外嵌する、円筒状をなし、長さ方向の一端側部分をテーパー状になすと共に、該テーパー状の部分と反対側の部分に前記固定金具における螺子部に螺合する螺子部を形成した移動金具とからなるクランプ部材を取着し、前記クランプ部材により前記棒状体の長さ方向の適宜の部分をクランプすることを通してつるの全体の長さを調整するようになした伸縮調整手段を備えた眼鏡のつる。
【請求項４】
つるの長さ方向の途中部を切断し、一方の切断端面に棒状体を突設し、もう一方の切断端面に、該切断端面に被着する、円筒状をなし、先端側をテーパー状となすと共に長さ方向の中央部からテーパー状となった先端近傍部にかけて螺子部を形成し、更に該テーパー状となった先端側部分を先端から長さ方向に沿って入れた円周方向等配の３本のスリットをもって三分割した固定金具と、前記固定金具に外嵌する、円筒状をなし、長さ方向の一端側部分の内面をテーパー状となすと共に、該内面テーパー状の部分と反対側の部分の内面に前記固定金具における螺子部に螺合する螺子部を形成した移動金具とからなるクランプ部材を取着し、前記クランプ部材により前記棒状体の長さ方向の適宜の部分をクランプすることを通してつるの全体の長さを調整するようになした伸縮調整手段を備えた眼鏡のつる。
【請求項５】
つるの切断部分を弾性カバーで被覆してなる請求項１、２、３又は４記載の眼鏡のつる。